(57)【要約】【課題】放送波の受信時間に応じた課金処理を行うことができるようにする。【解決手段】本発明に係る情報処理装置に適用可能な携帯電話機４においては、￥携帯電話機４は、放送局３からの放送波を受信し、受信された放送波の品質に関する情報である受信品質情報を生成し、生成された受信品質情報に基づいて、受信された放送波の品質を情報管理装置に適用可能な放送用コンテンツサーバ２に通知するための通知を生成し、生成された通知を放送用コンテンツサーバ２に送信し、一方、放送用コンテンツサーバ２は、携帯電話機４に受信された放送波の品質を管理するための受信品質管理履歴を記憶し、携帯電話機４に受信された放送波の品質を通知するための通知を受信し、記憶されている受信品質管理履歴を参照して、携帯電話機４において放送波を利用する際の課金処理の実行を制御する。【選択図】  図１
2008124729.tif 000002
【特許請求の範囲】
【請求項１】
放送局からの放送波を受信する受信手段と、
前記受信手段により受信された放送波の品質に関する情報である受信品質情報を生成する第１の生成手段と、
前記第１の生成手段により生成された前記受信品質情報に基づいて、受信された放送波の品質を前記情報管理装置に通知するための通知を生成する第２の生成手段と、
前記第２の生成手段により生成された前記通知を前記情報管理装置に送信する送信手段とを備えることを特徴とする情報処理装置。
【請求項２】
前記第２の生成手段により生成された前記通知は、受信品質劣化通知、定期通知、事後通知、または一括通知の少なくともいずれか１つであることを特徴とする請求項１に記載の情報処理装置。
【請求項３】
前記第１の生成手段は、前記受信手段により前記放送波の受信が開始された後、予め設定された所定の時間ごとに、前記受信品質情報を生成することを特徴とする請求項１に記載の情報処理装置。
【請求項４】
情報管理装置とネットワークを介して接続されている情報処理装置に受信された放送波の品質を管理するための受信品質管理履歴を記憶する記憶手段と、
前記情報処理装置に受信された放送波の品質を通知するための通知を受信する受信手段と、
前記記憶手段により記憶されている前記受信品質管理履歴を参照して、前記情報処理装置において放送波を利用する際の課金処理の実行を制御する制御手段とを備えることを特徴とする情報管理装置。
【請求項５】
前記記憶手段は、前記受信手段により受信された前記通知に基づいて、前記受信品質管理履歴を更新することを特徴とする請求項４に記載の情報管理装置。
【発明の詳細な説明】
【技術分野】
【０００１】
本発明は情報処理装置および情報管理装置に係り、特に、地上波ディジタルワンセグ放送波や地上波ディジタル放送波を受信することができるようにした情報処理装置および情報管理装置に関する。
【背景技術】
【０００２】
最近、地上波ディジタル放送が開始され、それに伴い、地上波ディジタルワンセグ放送も開始され、この地上波ディジタルワンセグ放送は例えば携帯電話機に代表される携帯端末で主に利用されている。例えば携帯電話機において地上波ディジタルワンセグ放送を利用する場合、以下のような処理が実行される。
【０００３】
すなわち、地上波ディジタルワンセグ放送波の録画処理を開始するとき、第１に、携帯電話機は、ユーザにより操作キーが操作されることにより入力された録画日、録画する放送チャンネル、録画開始時刻、録画終了時刻などの録画条件に関する入力データに基づいて、録画条件を設定する。第２に、携帯電話機は、設定された録画開始時刻になると、地上波ディジタルワンセグ受信部を起動し、地上波ディジタルワンセグ受信部を介して、地上波ディジタルワンセグ放送波を受信し、受信された地上波ディジタルワンセグ放送波を録画する。
【０００４】
また、地上波ディジタルワンセグ放送波の視聴処理を開始するとき、携帯電話機は、ユーザにより操作キーが操作されることにより入力された放送チャンネルなどの視聴条件に関する入力データに基づいて、地上波ディジタルワンセグ受信部を起動し、地上波ディジタルワンセグ受信部を介して、地上波ディジタルワンセグ放送波を受信し、受信された地上波ディジタルワンセグ放送波をユーザに視聴させる。
【０００５】
しかし、例えば携帯電話機などの携帯端末は、固定した場所で地上波ディジタル放送波を受信する例えば家庭用ビデオ機器などと異なり、ユーザにより持ち運び可能であるというと特性を有することから、携帯電話機などで地上波ディジタルワンセグ放送波を視聴または録画する際に、視聴処理または録画処理中に地上波ディジタルワンセグ放送波を受信することができない場合がある。
【０００６】
そこで、視聴処理または録画処理中に地上波ディジタルワンセグ放送波を受信することができなかった場合に放送チャンネルをサーチする技術が提案されている（例えば、特許文献１および２参照）。
【０００７】
特許文献１に提案されている技術によれば、入力部から録画または視聴の予約が入力されると、周波数チャンネル選局部が受信可能な放送波を指定された周波数チャンネルを用いて選局し、指定された周波数チャンネルで受信可能な放送波を選局できない場合、選局制御部が周波数チャンネル選局部、放送解析部、およびサービスチャンネル選局部を制御し、チャンネルサーチを行い、受信可能な放送波を受信して取得するようにしたので、放送地域を越えて移動する場合でも、位置情報を用いることなく、現在地における放送波を高い確率で受信して取得することができる。
【０００８】
また、特許文献２に提案されている技術によれば、再生予約されたＴＶ放送番組の受信を開始する前に、情報処理装置の位置情報を取得するように位置情報取得部を制御し、この位置情報に適合する番組情報を用いてＴＶ放送番組を受信するように放送受信部を制御するようにしたので、予約時点と、受信時点での所在地域が異なっている場合でも、ユーザが指定した通りの番組を受信することができる。
【特許文献１】特開２００６−１０８７３７号公報
【特許文献２】特開２００６−２００１０号公報
【発明の開示】
【発明が解決しようとする課題】
【０００９】
近年、放送局から送信される地上波ディジタルワンセグ放送波による放送番組は、基本的には無料放送であるが、一部、ペイ・パー・ビュー（特定の番組単位での課金処理）などの形式で有料番組も登場するようになってきている。ユーザが地上波ディジタルワンセグ放送波による有料番組を利用する場合、１月あたり固定額（例えば１５００円など）を支払う月額固定制で利用する。
【００１０】
しかしながら、上述したように、例えば携帯電話機などで地上波ディジタルワンセグ放送波を視聴または録画する際に、視聴処理中または録画処理中に地上波ディジタルワンセグ放送波を受信することができない場合がある。このような場合、ユーザは、視聴処理中または録画処理中に、携帯電話機などで地上波ディジタルワンセグ放送波を視聴または録画することができない時間があるにも関わらず（すなわち、受信品質の劣化や途中の受信中断などがあるにも関わらず）、均一に固定額を支払わなければならないという課題があった。
【００１１】
また、ユーザが地上波ディジタルワンセグ放送波による有料番組を利用する場合、例えば月額定額制であると、ユーザは、利用時間が少ないか多いかに関わらず、均一に固定額を支払わなければならないという課題があった。
【００１２】
このような課題は、特許文献１および２に提案されている技術では、解決することはできない。
【００１３】
本発明は、このような状況に鑑みてなされたものであり、放送波の受信時間に応じて好適な課金処理を行うことができる情報処理装置および情報管理装置を提供することを目的とする。
【課題を解決するための手段】
【００１４】
本発明の情報処理装置は、上述した課題を解決するために、放送局からの放送波を受信する受信手段と、受信手段により受信された放送波の品質に関する情報である受信品質情報を生成する第１の生成手段と、第１の生成手段により生成された受信品質情報に基づいて、受信された放送波の品質を情報管理装置に通知するための通知を生成する第２の生成手段と、第２の生成手段により生成された通知を情報管理装置に送信する送信手段とを備えることを特徴とする。
【００１５】
本発明の情報管理装置は、上述した課題を解決するために、情報管理装置とネットワークを介して接続されている情報処理装置に受信された放送波の品質を管理するための受信品質管理履歴を記憶する記憶手段と、情報処理装置に受信された放送波の品質を通知するための通知を受信する受信手段と、記憶手段により記憶されている受信品質管理履歴を参照して、情報処理装置において放送波を利用する際の課金処理の実行を制御する制御手段とを備えることを特徴とする。
【００１６】
本発明の情報処理装置においては、放送局からの放送波が受信され、受信された放送波の品質に関する情報である受信品質情報が生成され、生成された受信品質情報に基づいて、受信された放送波の品質を情報管理装置に通知するための通知が生成され、生成された通知が情報管理装置に送信される。
【００１７】
本発明の情報管理装置においては、情報管理装置とネットワークを介して接続されている情報処理装置に受信された放送波の品質を管理するための受信品質管理履歴が記憶され、情報処理装置に受信された放送波の品質を通知するための通知が受信され、記憶されている受信品質管理履歴を参照して、情報処理装置において放送波を利用する際の課金処理の実行が制御される。
【発明の効果】
【００１８】
本発明によれば、放送波の受信時間に応じた課金処理を行うことができる。
【発明を実施するための最良の形態】
【００１９】
以下、本発明の実施の形態について、図面を参照しながら説明する。
【００２０】
図１は、本発明に係るネットワークシステム１の全体の構成を表している。
【００２１】
図１に示されるように、ネットワークシステム１には、放送エリアＡを有する放送局３−１と、放送エリアＡに近接する放送エリアＢを有する放送局３−２が所定の場所にそれぞれ設置されており、この放送局３−１は、放送エリアＡにおいて地上波ディジタルワンセグ放送波と地上波ディジタル放送波を送信するとともに、放送局３−２は、放送エリアＢにおいて地上波ディジタルワンセグ放送波と地上波ディジタル放送波を送信する。本発明に係る情報処理装置に適用可能な携帯電話機４は、ユーザにより持ち運ばれる（移動される）のに伴い、内蔵される地上波ディジタルワンセグ受信部（例えば図５の地上波ディジタルワンセグ受信部８０）を介して、この放送局３−１または放送局３−２からの地上波ディジタルワンセグ放送波を受信する。
【００２２】
また、ネットワークシステム１には、通信サービスの提供エリアを所望の大きさに分割したセル内にそれぞれ固定無線局である基地局５−１および基地局５−２が設置されている。この基地局５−１および５−２には、移動無線局である携帯電話機４が例えばＷ−ＣＤＭＡ（Wideband-Code Division Multiple Access）と呼ばれる符号分割多元接続方式によって無線接続されており、例えば２［ＧＨｚ］の周波数の５［ＭＨｚ］帯域を利用して静止時に２［Ｍｂｐｓ］、移動時に３８４［Ｋｂｐｓ］のデータ転送速度で大容量データを高速にデータ通信することができる。
【００２３】
このように携帯電話機４は、Ｗ−ＣＤＭＡ方式によって大容量データを高速にデータ通信できることにより、音声通話だけでなく電子メールの送受信、簡易ホームページの閲覧、画像の送受信等の多種に及ぶデータ通信を実行できる。
【００２４】
また、基地局５−１および５−２は、有線回線を介して公衆回線網６に接続されており、公衆回線網６には、インターネットサービスプロバイダのアクセスサーバ７が接続されている。アクセスサーバ７には、ネットワーク８（例えば、インターネット、ＬＡＮ（Local Area Network）、ＷＡＮ（Wide Area Network）、その他の各種のネットワークを含む）を介して放送用コンテンツサーバ２などが接続されている。
【００２５】
さらに、ネットワーク８には無線ＬＡＮ９−１および９−２が接続されており、携帯電話機４は、無線ＬＡＮ９−１または９−２のアクセスポイント１０−１または１０−２を介して近距離大容量通信を行うことができる。
【００２６】
なお、放送局３−１および３−２は、以下において、それぞれを個々に区別する必要がない場合、放送局３と総称する。また、基地局５−１および５−２も、以下において、それぞれを個々に区別する必要がない場合、基地局５と総称する。さらに、無線ＬＡＮ９−１および９−２は、以下において、それぞれを個々に区別する必要がない場合、無線ＬＡＮ９と総称し、アクセスポイント１０−１および１０−２は、以下において、それぞれを個々に区別する必要がない場合、アクセスポイント１０と総称する。
【００２７】
図２は、図１の放送用コンテンツサーバ２の内部の構成を表している。
【００２８】
図２に示されるように、放送用コンテンツサーバ２は、ＣＰＵ２１、ＲＯＭ２２、ＲＡＭ２３、バス２４、入出力インタフェース２５、キーボードやマウスなどによりなる入力部２６、ＣＲＴ(Cathode Ray Tube)、ＬＣＤ(Liquid Crystal Display)などよりなるディスプレイ、並びにスピーカなどよりなる出力部２７、ハードディスクや不揮発性メモリなどより構成される記憶部２８、モデム、ターミナルアダプタ、およびネットワークインタフェース（いずれも図示せず）などより構成される通信部２９により構成される。また、入出力インタフェース２５には、必要に応じてドライブ３０が接続され、磁気ディスク３１、光ディスク３２、光磁気ディスク３３、あるいは半導体メモリ３４などが適宜装着され、それから読み出しコンピュータプログラムが、必要に応じて記憶部２８にインストールされる。
【００２９】
図３は、本発明に係る情報処理装置として適用可能な携帯電話機４の外観の構成を表している。なお、図３［Ａ］は、携帯電話機４を約１８０度に見開いたときの正面から見た外観の構成を表しており、図３［Ｂ］は、携帯電話機４を見開いたときの側面から見た外観の構成を表している。
【００３０】
図３［Ａ］および［Ｂ］に示されるように、携帯電話機４は、中央のヒンジ部４１を境に第１の筐体４２と第２の筐体４３とがヒンジ結合されており、ヒンジ部４１を介して矢印Ｘ方向に折り畳み可能に形成される。携帯電話機４の内部の所定の位置には、送受信用のアンテナ（後述する図５のアンテナ７４）が設けられており、内蔵されたアンテナを介して基地局５との間で電波を送受信する。
【００３１】
第１の筐体４２には、その表面に「０」乃至「９」の数字キー、発呼キー、リダイヤルキー、終話・電源キー、クリアキー、および電子メールキーなどの操作キー４４が設けられており、操作キー４４を用いて各種指示を入力することができる。
【００３２】
第１の筐体４２には、操作キー４４として上部に十字キーと確定キーが設けられており、ユーザが十字キーを上下左右方向に操作することにより当てられたカーソルを上下左右方向に移動させることができる。具体的には、第２の筐体４３に設けられた液晶ディスプレイ４７に表示されている電話帳リストや電子メールのスクロール動作、簡易ホームページのページ捲り動作および画像の送り動作などの種々の動作を実行する。
【００３３】
また、確定キーを押下することにより、種々の機能を確定することができる。例えば第１の筐体４２は、ユーザによる十字キーの操作に応じて液晶ディスプレイ４７に表示された電話帳リストの複数の電話番号の中から所望の電話番号が選択され、確定キーが第１の筐体４２の内部方向に押圧されると、選択された電話番号を確定して電話番号に対して発呼処理を行う。
【００３４】
さらに、第１の筐体４２には、十字キーと確定キーの左隣に電子メールキーが設けられており、電子メールキーが第１の筐体４２の内部方向に押圧されると、メールの送受信機能を呼び出すことができる。十字キーと確定キーの右隣には、ブラウザキーが設けられており、ブラウザキーが第１の筐体４２の内部方向に押圧されると、Ｗｅｂページのデータを閲覧することが可能となる。なお、十字キーと確定キーの左右隣に設けられた電子メールキーおよびブラウザキーは、液晶ディスプレイ４７に表示される画面により例えば「Yes」や「No」などの種々の機能をもつことが可能であるため、それぞれ、soft１キーおよびsoft２キーと呼ばれる。
【００３５】
また、第１の筐体４２には、操作キー４４の下部にマイクロフォン４５が設けられており、マイクロフォン４５によって通話時のユーザの音声を集音する。また、第１の筐体４２には、携帯電話機４の操作を行うサイドキー４６が設けられている。
【００３６】
なお、第１の筐体４２は、背面側に図示しないバッテリパックが挿着されており、終話・電源キーがオン状態になると、バッテリパックから各回路部に対して電力が供給されて動作可能な状態に起動する。
【００３７】
一方、第２の筐体４３には、その正面に液晶ディスプレイ４７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図４のＣＣＤカメラ５１）で撮像した画像、外部のコンテンツサーバ（図示せず）より受信したコンテンツ、メモリカード（後述する図５のメモリカード７６）に記憶されているコンテンツを表示することができる。
【００３８】
また、液晶ディスプレイ４７には、携帯電話機４において受信された地上波ディジタルワンセグ放送波による番組（コンテンツ）を文字放送などとともに表示したり、携帯電話機４において受信された地上波ディジタルワンセグ放送波を録画中である旨（例えば■マークなど）または視聴中である旨を表示したり、ユーザが住む家庭内に設置されたホームサーバ（図示せず）において地上波ディジタルワンセグ放送波または地上波ディジタル放送波を録画中である旨を表示したりすることができる。
【００３９】
また、携帯電話機４において受信された地上波ディジタルワンセグ放送波による有料番組を録画中または視聴中である旨（例えば○有マークなど）を表示することができる。この場合、番組全部が有料番組である番組を録画中または視聴中のときには、例えば「青」色の○有マークを表示するようにし、番組の一部が有料番組である番組を録画中または視聴中のときには、例えば「赤」色の○有マークを表示するようにしてもよい。
【００４０】
さらに、液晶ディスプレイ４７の上部の所定の位置にはスピーカ４８が設けられており、これにより、ユーザは音声通話することが可能である。
【００４１】
また、スピーカ４８の上部の所定の位置には、２つのＬＥＤ（Light Emitting Diode）５０−１と５０−２が設けられており、ＬＥＤ５０−１を点滅あるいは点灯させることで、携帯電話機４において受信された地上波ディジタルワンセグ放送波を録画中である旨（または視聴中である旨をユーザに報知したり、ＬＥＤ５０−２を点滅あるいは点灯させることで、ユーザが住む家庭内に設置されたホームサーバ（図示せず）において地上波ディジタルワンセグ放送波または地上波ディジタル放送波を録画中である旨をユーザに報知することができる。勿論、このような場合に限られず、液晶ディスプレイ４７の全画面において地上波ディジタルワンセグ放送波を表示しているときのみ、ＬＥＤ５０−１を点滅または点灯させるようにしてもよい。勿論、ＬＥＤ５０−１や５０−２以外のものを用いてユーザに報知するようにしてもよい。
【００４２】
図４は、本発明に係る情報処理装置として適用可能な携帯電話機４の他の外観の構成を表している。図４の携帯電話機４の状態は、図３の携帯電話機４の状態から矢印Ｘ方向に回動させた状態である。なお、図４［Ａ］は、携帯電話機４を閉じたときの正面から見た外観の構成を表しており、図４［Ｂ］は、携帯電話機４を閉じたときの側面から見た外観の構成を表している。
【００４３】
第２の筐体４３の上部には、ＣＣＤカメラ５１が設けられており、これにより、所望の撮影対象を撮像することができる。ＣＣＤカメラ５１の下部には、サブディスプレイ５２が設けられており、現在のアンテナの感度のレベルを示すアンテナピクト、携帯電話機４の現在の電池残量を示す電池ピクト、現在の時刻などが表示される。
【００４４】
サブディスプレイ５２の下部には、さらに、静電タッチパッド５３が設けられる。静電タッチパッド５３は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００４５】
図５は、本発明に係る情報処理装置として適用可能な携帯電話機４の内部の構成を表している。
【００４６】
図５に示されるように、携帯電話機４は、第１の筐体４２及び第２の筐体４３の各部を統括的に制御する主制御部６１に対して、電源回路部６２、操作入力制御部６３、画像エンコーダ６４、カメラインタフェース部６５、ＬＣＤ（Liquid Crystal Display）制御部６６、多重分離部６８、変復調回路部６９、音声コーデック７０、記憶部７７、音楽制御部７８、無線ＬＡＮモジュール７９、地上波ディジタルワンセグ受信部５０、およびＧＰＳ受信部５１がメインバス７１を介して互いに接続されるとともに、画像エンコーダ６４、画像デコーダ６７、多重分離部６８、変復調回路部６９、音声コーデック７０、および記録再生部７５が同期バス７２を介して互いに接続されて構成される。
【００４７】
主制御部６１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部７７からＲＡＭにロードされた各種のアプリケーションプログラムに従って各種の処理を実行するとともに、種々の制御信号を生成し、各部に供給することにより携帯電話機４を統括的に制御する。ＲＡＭは、ＣＰＵが各種の処理を実行する上において必要なデータなどを適宜記憶する。
【００４８】
なお、主制御部６１には、現在の日付と時刻を正確に計測するタイマが内蔵されている。
【００４９】
携帯電話機４は、主制御部６１の制御に基づいて、音声通話モード時にマイクロフォン４５で集音した音声信号を音声コーデック７０によってディジタル音声信号に変換、圧縮し、これを変復調回路部６９でスペクトラム拡散処理し、送受信回路部７３でディジタルアナログ変換処理及び周波数変換処理を施した後にアンテナ７４を介して送信する。
【００５０】
また、携帯電話機４は、音声通話モード時にアンテナ７４で受信した受信信号を増幅して周波数変換処理及びアナログディジタル変換処理を施し、変復調回路部６９でスペクトラム逆拡散処理し、音声コーデック７０によって伸張し、アナログ音声信号に変換した後、変換されたアナログ音声信号をスピーカ４８を介して出力する。
【００５１】
さらに、携帯電話機４は、データ通信モード時に電子メールを送信する場合、操作キー４４の操作によって入力された電子メールのテキストデータを操作入力制御部６３を介して主制御部６１に送出する。主制御部６１は、テキストデータを変復調回路部６９でスペクトラム拡散処理し、送受信回路部７３でディジタルアナログ変換処理及び周波数変換処理を施した後にアンテナ７４を介して基地局５へ送信する。
【００５２】
これに対して携帯電話機４は、データ通信モード時に電子メールを受信する場合、アンテナ７４を介して基地局５から受信した受信信号を変復調回路部６９でスペクトラム逆拡散処理して元のテキストデータを復元した後、ＬＣＤ制御部６６を介して液晶ディスプレイ４７に電子メールとして表示する。
【００５３】
その後携帯電話機４は、ユーザの操作に応じて受信した電子メールを記録再生部７５を介してメモリカード７６に記録することも可能である。
【００５４】
携帯電話機４は、画像信号を送信しない場合には、ＣＣＤカメラ５０で撮像した画像信号をカメラインタフェース部７５及びＬＣＤ制御部７６を介して液晶ディスプレイ４７に直接表示する。
【００５５】
携帯電話機４は、データ通信モード時に画像信号を送信する場合、ＣＣＤカメラ５０で撮像された画像信号をカメラインタフェース部６５を介して画像エンコーダ６４に供給する。
【００５６】
画像エンコーダ６４は、ＣＣＤカメラ５０から供給された画像信号を、例えばＭＰＥＧ（Moving Picture Experts Group）４などの所定の符号化方式によって圧縮符号化することにより符号化画像信号に変換し、変換された符号化画像信号を多重分離部６８に送出する。このとき同時に携帯電話機４は、ＣＣＤカメラ５０で撮像中にマイクロフォン４５で集音した音声を音声コーデック７０を介してディジタルの音声信号として多重分離部６８に送出する。
【００５７】
多重分離部６８は、画像エンコーダ６４から供給された符号化画像信号と音声コーデック７０から供給された音声信号とを所定の方式で多重化し、その結果得られる多重化信号を変復調回路部６９でスペクトラム拡散処理し、送受信回路部７３でディジタルアナログ変換処理及び周波数変換処理を施した後にアンテナ７４を介して送信する。
【００５８】
これに対して、携帯電話機４では、データ通信モード時に、Ｗｅｂページのデータを受信することができる。
【００５９】
すなわち、携帯電話機４において、データ通信モードに、例えばＷｅｂページを要求するデータを送信すると、その要求に応じて、Ｗｅｂページのデータが基地局５を介して送信される。このＷｅｂページのデータは、アンテナ７４を介して送受信回路部７３および変復調回路部６９で受信される。送受信回路部７３および変復調回路部６９は、受信したＷｅｂページのデータを主制御部６１に送出する。
【００６０】
主制御部６１は、Ｗｅｂページのデータを解釈し、その解釈に基づく画面（画像）を作成する。作成された画面は、主制御部６１からＬＣＤ制御部６６を介して液晶ディスプレイ４７に供給されて表示される。すなわち、主制御部６１のＲＯＭまたは記憶部７７には、少なくともＷｅｂブラウザのアプリケーションプログラムがインストールされており、主制御部６１のＣＰＵは、ＲＡＭ上でＷｅｂブラウザのアプリケーションプログラムを実行することで、Ｗｅｂブラウザとして機能し、Ｗｅｂページのデータの解釈などを行う。
【００６１】
また、携帯電話機４は、データ通信モード時に例えばＷｅｂページなどにリンクされた動画像ファイルのデータを受信する場合、アンテナ７４を介して基地局５から受信した受信信号を変復調回路部６９でスペクトラム逆拡散処理し、その結果得られる多重化信号を多重分離部６８に送出する。
【００６２】
多重分離部６８は、多重化信号を分離することにより符号化画像信号と音声信号とに分け、同期バス７２を介して符号化画像信号を画像デコーダ６７に供給すると共に音声信号を音声コーデック７０に供給する。画像デコーダ６７は、符号化画像信号をＭＰＥＧ４などの所定の符号化方式に対応した復号化方式でデコードすることにより再生動画像信号を生成し、生成された再生動画像信号をＬＣＤ制御部６６を介して液晶ディスプレイ４７に供給する。これにより、例えば、Ｗｅｂページなどにリンクされた動画像ファイルに含まれる動画像データが表示される。
【００６３】
このとき同時に音声コーデック７０は、音声信号をアナログ音声信号に変換した後、これをスピーカ４８に供給し、これにより、例えば、Ｗｅｂページなどにリンクされた動画像ファイルに含まる音声信号が再生される。この場合も電子メールの場合と同様に携帯電話機４は、受信したＷｅｂページなどにリンクされたデータをユーザの操作により記録再生部７５を介してメモリカード７６に記録することが可能である。
【００６４】
記憶部７７は、例えば、電気的に書換えや消去が可能な不揮発性メモリであるフラッシュメモリ素子やＨＤＤ（Hard Disc Drive）などからなり、主制御部６１のＣＰＵにより実行される種々のアプリケーションプログラムや種々のデータ群を格納している。また、記憶部７７は、必要に応じて、ユーザの操作に応じて受信した電子メールや、受信したＷｅｂページなどにリンクされた動画像ファイルに含まれる動画像データなどを記憶する。
【００６５】
音楽制御部７８は、記憶部７７に記憶されているオーディオデータの再生動作および一時停止動作や、巻戻し機能、早送り機能、音量ダウン動作、音量アップ動作などの実行を制御する。
【００６６】
無線ＬＡＮモジュール７９は、内蔵されたアンテナ（図示せず）を介して、ＩＥＥＥ８０２．１１ａ／ｂ／ｇなどの所定の規格に準拠した無線ＬＡＮ通信を行う。
【００６７】
地上波ディジタルワンセグ放送波８０は、放送局３からの地上波ディジタルワンセグ放送波を受信し、受信された地上波ディジタルワンセグ放送波を多重分離部６８または記憶部７７に供給する。
【００６８】
次に、図６のフローチャートを参照して、図５の携帯電話機４における定期通知送信処理について説明する。この定期通知送信処理は、ユーザにより操作キー４４が操作されることにより地上波ディジタルワンセグ放送波による有料番組（有料の放送コンテンツ）の視聴処理または録画処理を開始するとの指示がなされることで、開始される。
【００６９】
ステップＳ１において、主制御部６１は、ユーザにより操作キー４４が操作されることにより地上波ディジタルワンセグ放送波による有料番組（有料の放送コンテンツ）の視聴処理または録画処理を開始するとの指示がなされたか否かを判定し、ユーザにより操作キー４４が操作されることにより地上波ディジタルワンセグ放送波による有料番組（有料の放送コンテンツ）の視聴処理または録画処理を開始するとの指示がなされたと判定するまで待機する。
【００７０】
ステップＳ１においてユーザにより操作キー４４が操作されることにより地上波ディジタルワンセグ放送波による有料番組（有料の放送コンテンツ）の視聴処理または録画処理を開始するとの指示がなされたと判定された場合、主制御部６１はステップＳ２で、地上波ディジタルワンセグ放送波による有料番組の視聴処理または録画処理を開始する。
【００７１】
なお、本発明の実施形態においては、ユーザにより操作キー４４が操作されることにより地上波ディジタルワンセグ放送波による有料番組（有料の放送コンテンツ）の視聴処理または録画処理を開始するとの指示がなされると、地上波ディジタルワンセグ放送波による有料番組（有料の放送コンテンツ）の視聴処理または録画処理が開始される場合に適用するようにしたが、このような場合に限られず、例えば、録画処理の場合に予め設定された録画開始時刻になったとき録画処理が開始される場合に適用するようにしてもよい。
【００７２】
ステップＳ３において、主制御部６１は、地上波ディジタルワンセグ放送波による有料番組の視聴処理または録画処理を開始する旨の通知を生成し、生成された地上波ディジタルワンセグ放送波による有料番組の視聴処理または録画処理を開始する旨の通知をネットワーク８を介して放送用コンテンツサーバ２に送信する。
【００７３】
具体的には、主制御部６１は、変復調回路部６９および送受信回路部７３を制御し、生成された地上波ディジタルワンセグ放送波による有料番組の視聴処理または録画処理を開始する旨の通知を変復調回路部６９、送受信回路部７３、アンテナ７４、およびネットワーク８を介して放送用コンテンツサーバ２に送信させる。
【００７４】
変復調回路部６９および送受信回路部７３は、主制御部６１の制御に従い、生成された地上波ディジタルワンセグ放送波による有料番組の視聴処理または録画処理を開始する旨の通知を変復調回路部６９、送受信回路部７３、アンテナ７４、およびネットワーク８を介して放送用コンテンツサーバ２に送信する。
【００７５】
ステップＳ４において、主制御部６１は、携帯電話機４において受信された地上波ディジタルワンセグ放送波の品質に関する情報である受信品質情報が最も直前に生成された時刻から、予め設定された所定の時間（例えば１０分など）が経過したか否かを判定する。携帯電話機４において地上波ディジタルワンセグ放送波による有料番組の視聴処理または録画処理が開始されてから、携帯電話機４において受信された地上波ディジタルワンセグ放送波の品質に関する情報である受信品質情報がまだ生成されていない場合、地上波ディジタルワンセグ放送波による有料番組の視聴処理または録画処理が開始された時刻から、予め設定された所定の時間（例えば１０分など）が経過したか否かが判定される。勿論、予め設定された所定の時間は１０分でなくともよく、例えば５分や２０分などでもよいし、ユーザの好みに合わせて適宜変更するようにしてもよい。
【００７６】
ステップＳ４において予め設定された所定の時間が経過したと判定された場合、主制御部６１はステップＳ５において、予め設定された所定の時間（例えば１０分など）内で、携帯電話機４において受信された地上波ディジタルワンセグ放送波の品質に関する情報である受信品質情報を生成する。
【００７７】
図７は、ステップＳ５の生成処理において生成される受信品質情報のデータ構成例を示している。
【００７８】
図７に示される受信品質情報の第１列目乃至第５列目には、「視聴・録画時間帯」、「チャンネル」、「受信品質レベル」、「品質良好時間」、および「品質劣化時間」が記載されており、それぞれ、携帯電話機４において地上波ディジタルワンセグ放送波による有料番組の視聴処理または録画処理がなされた時間帯、携帯電話機４において地上波ディジタルワンセグ放送波による有料番組の視聴処理または録画処理がなされた際のチャンネル、携帯電話機４において地上波ディジタルワンセグ放送波による有料番組の視聴処理または録画処理がなされた際に受信された地上波ディジタルワンセグ放送波の品質レベルである受信品質レベル、携帯電話機４において地上波ディジタルワンセグ放送波による有料番組の視聴処理または録画処理がなされた際に受信された地上波ディジタルワンセグ放送波の品質が良好であった時間、および、携帯電話機４において地上波ディジタルワンセグ放送波による有料番組の視聴処理または録画処理がなされた際に受信された地上波ディジタルワンセグ放送波の品質が劣化した時間を示している。
【００７９】
ここで、受信品質情報に含まれる受信品質レベルは、ステップＳ５の生成処理により、例えば携帯電話機４において受信される地上波ディジタルワンセグ放送波の電界強度や、画像デコーダ６７や音声コーデック７０における地上波ディジタルワンセグ放送波のデコードの誤り率（誤り頻度）などに基づいて生成される。
【００８０】
例えばステップＳ５の生成処理により生成される受信品質レベルにはＡ乃至Ｄが存在する。受信品質レベルがＡ乃至Ｃの場合、受信された地上波ディジタルワンセグ放送波の品質は良好であり、ユーザは地上波ディジタルワンセグ放送波による有料番組を視聴することが容易であることを示しており、Ａ、Ｂ、およびＣの順で放送波の良好度合いが低下する。一方、受信品質レベルがＤの場合、受信された地上波ディジタルワンセグ放送波の品質は劣化しており、ユーザは地上波ディジタルワンセグ放送波による有料番組を視聴することが困難であることを示している。
【００８１】
本発明の実施形態においては、受信品質レベルとしてＡ乃至Ｄの４段階に分け、そのうち、Ａ乃至Ｃについては受信された地上波ディジタルワンセグ放送波の品質が良好であり、Ｄについては受信された地上波ディジタルワンセグ放送波の品質が劣化しているとしたが、このような場合に限られず、受信された地上波ディジタルワンセグ放送波の品質が劣化している場合を１段階ではなく、より高精細（例えば２段階や３段階など）に分けるようにしてもよいし、受信された地上波ディジタルワンセグ放送波の品質が良好である場合も３段階ではなく、より高精細（例えば４段階や５段階など）に分けるようにしてもよい。
【００８２】
図７の受信品質情報の第１行目の第１列目乃至第３列目の場合、「視聴・録画時間帯」は「２００６／０７／２２  ２２：１１：０５〜２２：１５：２１」であり、携帯電話機４において地上波ディジタルワンセグ放送波による有料番組の視聴処理または録画処理がなされた時間帯が「２００６／０７／２２  ２２：１１：０５〜２２：１５：２１」であることを示している。「チャンネル」は「ＣＨ６」であり、携帯電話機４において地上波ディジタルワンセグ放送波による有料番組の視聴処理または録画処理がなされた際のチャンネルが「ＣＨ６」であることを示している。「受信品質レベル」は「Ａ」であり、携帯電話機４において地上波ディジタルワンセグ放送波による有料番組の視聴処理または録画処理がなされた際に受信された地上波ディジタルワンセグ放送波の品質レベルである受信品質レベルは「Ａ」であり、受信された地上波ディジタルワンセグ放送波の品質は良好であることを示している。
【００８３】
図７の受信品質情報の第２行目の第１列目乃至第３列目の場合、「視聴・録画時間帯」は「２００６／０７／２２  ２２：１５：２２〜２２：１８：３１」であり、携帯電話機４において地上波ディジタルワンセグ放送波による有料番組の視聴処理または録画処理がなされた時間帯が「２００６／０７／２２  ２２：１５：２２〜２２：１８：３１」であることを示している。「チャンネル」は「ＣＨ６」であり、携帯電話機４において地上波ディジタルワンセグ放送波による有料番組の視聴処理または録画処理がなされた際のチャンネルが「ＣＨ６」であることを示している。「受信品質レベル」は「Ｃ」であり、携帯電話機４において地上波ディジタルワンセグ放送波による有料番組の視聴処理または録画処理がなされた際に受信された地上波ディジタルワンセグ放送波の品質レベルである受信品質レベルは「Ｃ」であり、受信された地上波ディジタルワンセグ放送波の品質は良好であることを示している。
【００８４】
図７の受信品質情報の第３行目の第１列目乃至第３列目の場合、「視聴・録画時間帯」は「２００６／０７／２２  ２２：１８：３２〜２２：２１：０５」であり、携帯電話機４において地上波ディジタルワンセグ放送波による有料番組の視聴処理または録画処理がなされた時間帯が「２００６／０７／２２  ２２：１８：３２〜２２：２１：０５」であることを示している。「チャンネル」は「ＣＨ６」であり、携帯電話機４において地上波ディジタルワンセグ放送波による有料番組の視聴処理または録画処理がなされた際のチャンネルが「ＣＨ６」であることを示している。「受信品質レベル」は「Ｄ」であり、携帯電話機４において地上波ディジタルワンセグ放送波による有料番組の視聴処理または録画処理がなされた際に受信された地上波ディジタルワンセグ放送波の品質レベルである受信品質レベルは「Ｄ」であり、受信された地上波ディジタルワンセグ放送波の品質は良好であることを示している。
【００８５】
また、図７の受信品質情報の第４列目乃至第５列目の場合、「品質良好時間」は「００：０７：２７」であり、予め設定された所定の時間（例えば１０分など）内で、携帯電話機４において地上波ディジタルワンセグ放送波による有料番組の視聴処理または録画処理がなされた際に受信された地上波ディジタルワンセグ放送波の品質が良好であった時間は「００：０７：２７」であることを示している。「品質劣化時間」は「００：０２：３３」であり、予め設定された所定の時間（例えば１０分など）内で、携帯電話機４において地上波ディジタルワンセグ放送波による有料番組の視聴処理または録画処理がなされた際に受信された地上波ディジタルワンセグ放送波の品質が劣化した時間は「００：０２：３３」であることを示している。
【００８６】
ステップＳ６において、主制御部６１は、生成された受信品質情報に基づいて、予め設定された所定の時間（例えば１０分など）内に受信された地上波ディジタルワンセグ放送波の品質が劣化したか否かを判定する。
【００８７】
例えば図７の受信品質情報の場合、「品質劣化時間」は「００：２：３３」であり、予め設定された所定の時間（例えば１０分など）内で、携帯電話機４において地上波ディジタルワンセグ放送波による有料番組の視聴処理または録画処理がなされた際に受信された地上波ディジタルワンセグ放送波の品質が劣化した時間は「００：２：３３」であることから、予め設定された所定の時間（例えば１０分など）内に受信された地上波ディジタルワンセグ放送波の品質が劣化したと判定される。
【００８８】
ステップＳ６において予め設定された所定の時間（例えば１０分など）内に受信された地上波ディジタルワンセグ放送波の品質が劣化していないと判定された場合、主制御部６１はステップＳ７で、に基づいて、携帯電話機４が圏内であるか否かを判定する。
【００８９】
ステップＳ７において携帯電話機４が圏内であると判定された場合、主制御部６１はステップＳ８で、生成された受信品質情報に基づいて、予め設定された所定の時間（例えば１０分など）内で、携帯電話機４において受信された地上波ディジタルワンセグ放送波の品質が良好である旨を通知するための品質良好定期通知を生成する。なお、この品質良好定期通知には、ステップＳ５の生成処理により生成された受信品質情報（視聴・録画時間帯、チャンネル、受信品質レベル、品質良好時間、および品質劣化時間）が含まれている。
【００９０】
ステップＳ９において、主制御部６１は、生成された品質良好定期通知を放送用コンテンツサーバ２にネットワーク８を介して送信する。
【００９１】
具体的には、主制御部６１は、変復調回路部６９および送受信回路部７３を制御し、生成された品質良好定期通知を変復調回路部６９、送受信回路部７３、アンテナ７４、およびネットワーク８を介して放送用コンテンツサーバ２に送信させる。
【００９２】
変復調回路部６９および送受信回路部７３は、主制御部６１の制御に従い、生成された品質良好定期通知を変復調回路部６９、送受信回路部７３、アンテナ７４、およびネットワーク８を介して放送用コンテンツサーバ２に送信する。
【００９３】
ステップＳ７において携帯電話機４が圏内ではないと判定された場合（すなわち、携帯電話機４が圏外であると判定された場合）、ステップＳ８乃至ステップＳ９の処理はスキップされる。これにより、品質良好定期通知は生成されず、放送用コンテンツサーバ２には送信されない。
【００９４】
一方、ステップＳ６において予め設定された所定の時間（例えば１０分など）内に受信された地上波ディジタルワンセグ放送波の品質が劣化したと判定された場合、主制御部６１はステップＳ１０で、携帯電話機４が圏内であるか否か（すなわち、変復調回路部３９、送受信回路部４３、およびアンテナ４４を介して基地局５から送信される位置情報を受信することが可能な圏内であるか否か）を判定する。
【００９５】
ステップＳ１０において携帯電話機４が圏内であると判定された場合、主制御部６１はステップＳ１１で、生成された受信品質情報に基づいて、予め設定された所定の時間（例えば１０分など）内で、携帯電話機４において受信された地上波ディジタルワンセグ放送波の品質が劣化した旨を通知するための品質劣化定期通知を生成する。なお、この品質劣化定期通知には、品質良好定期通知と同様に、ステップＳ５の生成処理により生成された受信品質情報（視聴・録画時間帯、チャンネル、受信品質レベル、品質良好時間、および品質劣化時間）が含まれている。
【００９６】
ステップＳ１２において、主制御部６１は、生成された品質劣化定期通知を放送用コンテンツサーバ２にネットワーク８を介して送信する。
【００９７】
具体的には、主制御部６１は、変復調回路部６９および送受信回路部７３を制御し、生成された品質劣化定期通知を変復調回路部６９、送受信回路部７３、アンテナ７４、およびネットワーク８を介して放送用コンテンツサーバ２に送信させる。
【００９８】
変復調回路部６９および送受信回路部７３は、主制御部６１の制御に従い、生成された品質劣化定期通知を変復調回路部６９、送受信回路部７３、アンテナ７４、およびネットワーク８を介して放送用コンテンツサーバ２に送信する。
【００９９】
ステップ１０において携帯電話機４が圏内ではないと判定された場合（すなわち、携帯電話機４が圏外であると判定された場合）、ステップＳ１１乃至Ｓ１２の処理はスキップされる。これにより、品質劣化定期通知は生成されず、放送用コンテンツサーバ２には送信されない。
【０１００】
ステップＳ１３において、主制御部６１は、ステップＳ５の生成処理により生成された受信品質情報を、記憶部７７に予め記憶されている受信品質履歴に登録する。
【０１０１】
図８は、記憶部７７に予め記憶されている受信品質履歴の構成例を表している。なお、図８に示される受信品質履歴の第４列目乃至第８列目の「視聴・録画時間帯」、「チャンネル」、「受信品質レベル」、「品質良好時間」、および「品質劣化時間」については、図７の受信品質情報の第１列目乃至第５列目の「視聴・録画時間帯」、「チャンネル」、「受信品質レベル」、「品質良好時間」、および「品質劣化時間」と基本的には同様であり、その説明は繰り返しになるので省略する。
【０１０２】
図８に示される受信品質履歴の第１列目乃至第３列目には、「日付」、「視聴・録画開始時刻」、および「視聴・録画終了時刻」が記載されており、それぞれ、携帯電話機４において地上波ディジタルワンセグ放送波による有料番組の視聴処理または録画処理が実行された日付、携帯電話機４において地上波ディジタルワンセグ放送波による有料番組の視聴処理または録画処理が開始された時刻、および、携帯電話機４において地上波ディジタルワンセグ放送波による有料番組の視聴処理または録画処理が終了した時刻を示している。
【０１０３】
例えば図８の第１行目の場合、「日付」は「２００６／０７／１５」であり、携帯電話機４において地上波ディジタルワンセグ放送波による有料番組の視聴処理または録画処理が実行された日付が「２００６／０７／１５」を示している。「視聴・録画開始時刻」は「１９：３０：００」であり、携帯電話機４において地上波ディジタルワンセグ放送波による有料番組の視聴処理または録画処理が開始された時刻が「１９：３０：００」であることを示している。「視聴・録画終了時刻」は「２０：００：００」であり、携帯電話機４において地上波ディジタルワンセグ放送波による有料番組の視聴処理または録画処理が終了した時刻が「２０：００：００」であることを示している。
【０１０４】
「視聴・録画時間帯」はそれぞれ、「１９：３０：００〜１９：３９：３０」、「１９：３９：３１〜１９：４０：００」、「１９：４０：０１〜１９：５０：００」、「１９：５０：０１〜１９：５５：３２」、および「１９：５５：３３〜２０：００：００」であり、携帯電話機４において地上波ディジタルワンセグ放送波による有料番組の視聴処理または録画処理がなされた時間帯が「１９：３０：００〜１９：３９：３０」、「１９：３９：３１〜１９：４０：００」、「１９：４０：０１〜１９：５０：００」、「１９：５０：０１〜１９：５５：３２」、および「１９：５５：３３〜２０：００：００」であることを示している。「チャンネル」は「ＣＨ８」、「ＣＨ８」、「ＣＨ８」、「ＣＨ８」、および「ＣＨ８」であり、携帯電話機４において地上波ディジタルワンセグ放送波による有料番組の視聴処理または録画処理がなされた際のチャンネルがいずれも「ＣＨ８」であることを示している。「受信品質レベル」はそれぞれ「Ａ」、「Ｄ」、「Ａ」、「Ｂ」、および「Ｄ」であり、携帯電話機４において地上波ディジタルワンセグ放送波による有料番組の視聴処理または録画処理がなされた際に受信された地上波ディジタルワンセグ放送波の品質レベルである受信品質レベルはそれぞれ「Ａ」、「Ｄ」、「Ａ」、「Ｂ」、および「Ｄ」であり、受信された地上波ディジタルワンセグ放送波の品質は「１９：３０：００〜１９：３９：３０」、１９：４０：０１〜１９：５０：００」、および「１９：５０：０１〜１９：５５：３２」の時間帯で良好であり、「１９：３９：３１〜１９：４０：００」および「１９：５５：３３〜２０：００：００」の時間帯で劣化したことを示している。
【０１０５】
「品質良好時間」は「００：２５：０４」であり、予め設定された所定の時間（例えば１０分など）内で、携帯電話機４において地上波ディジタルワンセグ放送波による有料番組の視聴処理または録画処理がなされた際に受信された地上波ディジタルワンセグ放送波の品質が良好であった時間は「００：２５：０４」であることを示している。「品質劣化時間」は「００：０４：５６」であり、予め設定された所定の時間（例えば１０分など）内で、携帯電話機４において地上波ディジタルワンセグ放送波による有料番組の視聴処理または録画処理がなされた際に受信された地上波ディジタルワンセグ放送波の品質が劣化した時間は「００：０４：５６」であることを示している。
【０１０６】
なお、図８の受信品質履歴の第２行目以降についても同様であり、その説明は繰り返しになるので省略する。
【０１０７】
また、ステップＳ５の生成処理により生成された例えば図７に示される受信品質情報は、図８の受信品質履歴の第３行目に示されるように登録される。
【０１０８】
ステップＳ１４において、主制御部６１は、ユーザにより操作キー４４が操作されることにより地上波ディジタルワンセグ放送波による有料番組の視聴処理または録画処理を終了するとの指示がなされたか否かを判定する。
【０１０９】
ステップＳ１４においてユーザにより操作キー４４が操作されることにより地上波ディジタルワンセグ放送波による有料番組の視聴処理または録画処理を終了するとの指示がなされていないと判定された場合、処理はステップＳ４に戻り、ステップＳ４以降の処理が同様に繰り返される。これにより、携帯電話機４において地上波ディジタルワンセグ放送波による有料番組の視聴処理または録画処理が開始されてから、予め設定された所定の時間（例えば１０分など）ごとに、受信された地上波ディジタルワンセグ放送波の品質に関する情報である受信品質情報が生成される。
【０１１０】
ステップＳ１４においてユーザにより操作キー４４が操作されることにより地上波ディジタルワンセグ放送波による有料番組の視聴処理または録画処理を終了するとの指示がなされたと判定された場合、主制御部６１はステップＳ１５で、地上波ディジタルワンセグ放送波による有料番組の視聴処理または録画処理を終了する旨の通知を生成し、生成された地上波ディジタルワンセグ放送波による有料番組の視聴処理または録画処理を終了する旨の通知をネットワーク８を介して放送用コンテンツサーバ２に送信する。
【０１１１】
具体的には、主制御部６１は、変復調回路部６９および送受信回路部７３を制御し、生成された地上波ディジタルワンセグ放送波による有料番組の視聴処理または録画処理を終了する旨の通知を変復調回路部６９、送受信回路部７３、アンテナ７４、およびネットワーク８を介して放送用コンテンツサーバ２に送信させる。
【０１１２】
変復調回路部６９および送受信回路部７３は、主制御部６１の制御に従い、生成された地上波ディジタルワンセグ放送波による有料番組の視聴処理または録画処理を終了する旨の通知を変復調回路部６９、送受信回路部７３、アンテナ７４、およびネットワーク８を介して放送用コンテンツサーバ２に送信する。
【０１１３】
ステップＳ１６において、主制御部６１は、地上波ディジタルワンセグ放送波による有料番組の視聴処理または録画処理を終了する。
【０１１４】
これにより、携帯電話機４において地上波ディジタルワンセグ放送波による有料番組の視聴処理または録画処理を開始した後、予め設定された所定の時間ごとに、受信された地上波ディジタルワンセグ放送波の品質に関する受信品質情報を生成し、生成された受信品質情報に基づいて、品質劣化定期通知または品質良好定期通知を生成し、生成された品質劣化定期通知または品質良好定期通知を放送用コンテンツサーバ２に送信することができる。
【０１１５】
図９のフローチャートを参照して、図６のフローチャートを参照して説明した携帯電話機４における定期通知受信処理に対応する、図２の放送用コンテンツサーバ２における定期通知受信処理について説明する。この定期通知受信処理は、携帯電話機４から送信されてきた地上波ディジタルワンセグ放送波による有料番組の視聴処理または録画処理を開始するとの通知を受信することで、開始される。
【０１１６】
ステップＳ２１において、ＣＰＵ２１は、通信部２９により、ネットワーク８を介して携帯電話機４から送信されてきた地上波ディジタルワンセグ放送波の有料番組の視聴処理または録画処理を開始するとの通知を受信したか否かを判定し、地上波ディジタルワンセグ放送波の有料番組の視聴処理または録画処理を開始するとの通知を受信したと判定するまで待機する。
【０１１７】
ステップＳ２１において携帯電話機４から送信されてきた地上波ディジタルワンセグ放送波の有料番組の視聴処理または録画処理を開始するとの通知を受信したと判定された場合、ＣＰＵ２１は、記憶部２８に予め記憶されている受信品質情報を管理するための受信品質管理履歴を読み出す。
【０１１８】
図１０は、記憶部２８に予め記憶されている受信品質管理履歴の構成例を表している。なお、図１０の受信品質管理履歴の第４列目乃至第１１列目の「日付」、「視聴・録画開始時刻」、「視聴・録画終了時刻」、「視聴・録画時間帯」、「チャンネル」、「受信品質レベル」、「品質良好時間」、および「品質劣化時間」ついては、図８の受信品質履歴の第１列目乃至第８列目の「日付」、「視聴・録画開始時刻」、「視聴・録画終了時刻」、「視聴・録画時間帯」、「チャンネル」、「受信品質レベル」、「品質良好時間」、および「品質劣化時間」と基本的には同様であり、その説明は繰り返しになるので省略する。
【０１１９】
図１０の受信品質管理履歴の第１列目乃至第３列目には、「ユーザ番号」、「ユーザ名」、および「携帯番号」が記載されており、それぞれ、有料番組の利用契約などにより放送局３からの地上波ディジタルワンセグ放送波による有料番組の視聴または録画が許可されたユーザの番号、有料番組の利用契約などにより放送局３からの地上波ディジタルワンセグ放送波による有料番組の視聴または録画が許可されたユーザの名前、および有料番組の利用契約などにより放送局３からの地上波ディジタルワンセグ放送波による有料番組の視聴または録画が許可されたユーザが所有する携帯電話機４の携帯番号を示している。
【０１２０】
図１０の受信品質管理履歴の第１行目の「ユーザ番号」は「ＮＯ．１」であり、有料番組の利用契約などにより放送局３からの地上波ディジタルワンセグ放送波による有料番組の視聴または録画が許可されたユーザの番号が「ＮＯ．１」であることを示している。「ユーザ名」は「青木太郎」であり、有料番組の利用契約などにより放送局３からの地上波ディジタルワンセグ放送波による有料番組の視聴または録画が許可されたユーザの名前が「青木太郎」であることを示している。「携帯番号」は「０９０−××××−××××」であり、有料番組の利用契約などにより放送局３からの地上波ディジタルワンセグ放送波による有料番組の視聴または録画が許可されたユーザが所有する携帯電話機４の携帯番号が「０９０−××××−××××」であることを示している。
【０１２１】
なお、図１０の受信品質管理履歴の第２行目以降についても同様であり、その説明は繰り返しになるので省略する。
【０１２２】
ステップＳ２３において、ＣＰＵ２１は、通信部２９により、ネットワーク８を介して携帯電話機４から送信されてきた品質劣化定期通知または品質良好定期通知を受信したかを判定し、携帯電話機４から送信されてきた品質劣化定期通知または品質良好定期通知を受信したと判定するまで待機する。
【０１２３】
ステップＳ２３において携帯電話機４から送信されてきた品質劣化定期通知または品質良好定期通知を受信したと判定された場合、受信された品質劣化定期通知または品質良好通知に基づいて、記憶部２８に予め記憶されている受信品質管理履歴を更新する。
【０１２４】
例えば図１０に示される受信品質管理履歴は、図１１に示されるように更新される。図１１の例の場合、第１行目の第４列目乃至第１１列目の「日付」、「視聴・録画開始時刻」、「視聴・録画終了時刻」、「視聴・録画時間帯」、「チャンネル」、「受信品質レベル」、「品質良好時間」、および「品質劣化時間」の記載が更新される。
【０１２５】
なお、記憶部２８に記憶されている受信品質管理履歴は、放送用コンテンツサーバ２を管理する放送業者などにより追加、削除、変更などの更新が適宜実行される。
【０１２６】
ステップＳ２５において、ＣＰＵ２１は、通信部２９により、ネットワーク８を介して携帯電話機４から送信されてきた地上波ディジタルワンセグ放送波による有料番組の視聴処理または録画処理を終了するとの通知を受信したか否かを判定する。
【０１２７】
ステップＳ２５において携帯電話機４から送信されてきた地上波ディジタルワンセグ放送波による有料番組の視聴処理または録画処理を終了するとの通知を受信していないと判定された場合、処理はステップＳ２３に戻り、ステップＳ２３以降の処理が繰り返される。これにより、携帯電話機４から送信されてきた地上波ディジタルワンセグ放送波による有料番組の視聴処理または録画処理を終了するとの通知を受信するまで、携帯電話機４から送信されてきた品質劣化定期通知または品質良好定期通知が受信され、受信された品質劣化定期通知または品質良好定期通知に基づいて、記憶部２９に予め記憶されている受信品質管理履歴が更新される。
【０１２８】
ステップＳ２５において携帯電話機４から送信されてきた地上波ディジタルワンセグ放送波による有料番組の視聴処理または録画処理を終了するとの通知を受信したと判定された場合、定期通知受信処理は終了する。
【０１２９】
次に、図１２のフローチャートを参照して、図２の放送用コンテンツサーバ２における課金処理について説明する。この課金処理は、例えば月末ごとに必要に応じて開始される。
【０１３０】
ステップＳ３１において、ＣＰＵ２１は、記憶部２８に予め記憶されている受信品質管理履歴をバス２４を介して読み出す。
【０１３１】
ステップＳ３２において、ＣＰＵ２１は、読み出された受信品質履歴を参照して、携帯電話機４において地上波ディジタルワンセグ放送波による有料番組を利用する場合における課金処理を実行する。
【０１３２】
例えば図１１の受信品質管理履歴に管理される「青木太郎」の場合、これまでの地上波ディジタルワンセグ放送波による有料番組の利用において、品質良好時間が「００：２５：０４」＋「００：３０：１５」＋「００：５０：００」＝「０１：４５：１９」であり、品質劣化時間が「００：０４：５６」＋「００：１４：４５」＋「００：１５：１０」＝「００：３４：５１」である。従って、この場合、２時間２０分の利用時間のうち、１時間４５分１９秒を受信品質が良好な状態で視聴処理または録画処理することができたことから、例えば２時間２０分の利用で通常発生する利用料金に（１時間４５分１９秒／２時間２０分）を乗じた額を課金額とする。
【０１３３】
勿論、このような場合に限られず、携帯電話機４において受信された地上波ディジタルワンセグ放送波の品質が良好である場合においても、受信された地上波ディジタルワンセグ放送波の受信品質レベルに応じて、利用料金を減額して課金額を低くようにしてもよい。すなわち、受信品質レベルがＡ、Ｂ、Ｃと低下していくに従い、利用料金を減額する。
【０１３４】
これにより、携帯電話機４において受信された地上波ディジタルワンセグ放送波の品質に応じて、より高精細に利用料金を設定し、課金処理を実行することができる。
【０１３５】
また、地上波ディジタルワンセグ放送波による有料番組のうち、重要な場面において携帯電話機４で地上波ディジタルワンセグ放送波が受信できなかった場合、利用料金を減額して課金額を低くようにしてもよい。
【０１３６】
なお、図６のフローチャートを参照して説明したように、携帯電話機４が圏外である場合には基本的には放送用コンテンツサーバ２には品質劣化定期通知または品質良好定期通知は送信されない。しかし、携帯電話機４が放送エリア（例えば放送エリアＡやＢなど）の圏内である場合には、携帯電話機４が圏外であるとしても放送局３からの地上波ディジタルワンセグ放送波を受信することができる。そこで、このような場合には、図１５のフローチャートを用いて後述する一括通知送信処理により、受信品質情報を放送用コンテンツサーバ２に一括して送信することで、携帯電話機４での地上波ディジタルワンセグ放送波の受信時間や受信品質レベルに応じてより好適な課金処理を行うことができる。
【０１３７】
本発明の実施形態においては、携帯電話機４は、地上波ディジタルワンセグ放送波による有料番組の視聴処理または録画処理を開始して後、予め設定された所定の時間ごとに、受信された地上波ディジタルワンセグ放送波の品質に関する受信品質情報を生成し、生成された受信品質情報に基づいて、品質劣化定期通知または品質良好定期通知を生成し、生成された品質劣化定期通知または品質良好定期通知を放送用コンテンツサーバ２に送信することができる。
【０１３８】
一方、放送用コンテンツサーバ２は、地上波ディジタルワンセグ放送波による有料番組の視聴処理または録画処理を開始して後、予め設定された所定の時間ごとに、携帯電話機４から送信されてきた品質劣化定期通知または品質良好定期通知を受信し、受信された品質劣化定期通知または品質良好定期通知に基づいて受信品質管理履歴を更新することができる。また、更新された受信品質管理履歴を参照して、携帯電話機４において地上波ディジタルワンセグ放送波による有料番組を利用する場合における課金処理を実行することができる。
【０１３９】
これにより、持ち運び可能な特性を有する携帯電話機４において地上波ディジタルワンセグ放送波を一時的に受信することができない場合が発生したとしても、携帯電話機４での地上波ディジタルワンセグ放送波の受信時間や受信品質レベルに応じて好適な課金処理を行うことができる。従って、携帯電話機４において地上波ディジタルワンセグ放送波を利用する場合における利便性を向上させることができる。
【０１４０】
なお、本発明の実施形態においては、定期通知（品質劣化定期通知と品質良好定期通知）を放送用コンテンツサーバ２に送信するようにしたが、少なくとも受信した放送波の品質が劣化した場合にのみ、品質劣化定期通知を送信しさえすればよい。これにより、放送用コンテンツサーバ２への通信データ量を抑制することができる。
【０１４１】
ところで、図６のフローチャートを参照して説明した携帯電話機４における定期通知送信処理においては、地上波ディジタルワンセグ放送波による有料番組の視聴処理または録画処理を開始して後、予め設定された所定の時間ごとに、受信された地上波ディジタルワンセグ放送波の品質に関する受信品質情報を生成し、生成された受信品質情報に基づいて、品質劣化定期通知または品質良好定期通知を生成し、生成された品質劣化定期通知または品質良好定期通知を放送用コンテンツサーバ２に送信するようにしたが、このような場合に限られず、例えば携帯電話機４における地上波ディジタルワンセグ放送波による有料番組の視聴処理または録画処理の終了後に、事後的に、すでに予め設定された所定の時間ごとに生成された受信品質情報に基づいて事後通知を生成し、生成された事後通知を放送用コンテンツサーバ２に送信するようにしてもよい。以下、この方法を用いた図５の携帯電話機４における事後通知送信処理について説明する。
【０１４２】
図１３のフローチャートを参照して、図５の携帯電話機４における事後通知送信処理について説明する。なお、図１３のステップＳ４１乃至Ｓ４７、およびステップＳ５１乃至Ｓ５２の処理は、図６のステップＳ１乃至Ｓ５、およびステップＳ１３乃至Ｓ１６の処理と基本的には同様であり、その説明は繰り返しになるので省略する。
【０１４３】
ステップＳ４８において、主制御部６１は、記憶部７７に記憶されている受信品質履歴を読み出す。例えば図８に示される受信品質履歴が記憶部７７から読み出される。
【０１４４】
ステップＳ４９において、主制御部６１は、記憶部７７から読み出された受信品質履歴に登録されている直近の受信品質情報（例えば図８の受信品質履歴の第３行目に記載された視聴・録画開始時刻「２２：１１：０５」から視聴・録画終了時刻「２３：１６：１５」までの受信品質情報）に基づいて、携帯電話機４において受信された地上波ディジタルワンセグ放送波の品質（劣化したか良好であるか）を事後的に通知するための事後通知を生成する。なお、この事後通知には、ステップＳ４５の生成処理により予め設定された所定の時間ごとに生成された受信品質情報（視聴・録画時間帯、チャンネル、受信品質レベル、品質良好時間、および品質劣化時間）が含まれている。
【０１４５】
ステップＳ５０において、主制御部６１は、生成された事後通知を放送用コンテンツサーバ２にネットワーク８を介して送信する。
【０１４６】
具体的には、主制御部６１は、変復調回路部６９および送受信回路部７３を制御し、生成された事後通知を変復調回路部６９、送受信回路部７３、アンテナ７４、およびネットワーク８を介して放送用コンテンツサーバ２に送信させる。
【０１４７】
変復調回路部６９および送受信回路部７３は、主制御部６１の制御に従い、生成された事後通知を変復調回路部６９、送受信回路部７３、アンテナ７４、およびネットワーク８を介して放送用コンテンツサーバ２に送信する。
【０１４８】
なお、携帯電話機４が一時的に圏外である場合には、例えば所定の回数（例えば５回など）放送用コンテンツサーバ２への接続が繰り返して試行される。
【０１４９】
これにより、携帯電話機４において地上波ディジタルワンセグ放送波による有料番組の視聴処理または録画処理が開始された後、予め設定された所定の時間ごとに生成された受信品質情報に基づいて、逐一、定期通知（品質劣化定期通知や品質良好定期通知）を生成する必要がなくなり、事後的に事後通知として放送用コンテンツサーバ２に送信することができる。また、携帯電話機４が一時的に圏外であったとしても、例えば所定の回数放送用コンテンツサーバ２に接続を繰り返して試行することで、確実にすべての受信品質情報を放送用コンテンツサーバ２に送信することができる。従って、地上波ディジタルワンセグ放送波による有料番組の視聴処理または録画処理を実行している際の主制御部６１の負荷を低減することができるとともに、携帯電話機４に内蔵された電池（バッテリパック）の消耗を抑制することができる。
【０１５０】
次に、図１４のフローチャートを参照して、図１３のフローチャートを参照して説明した携帯電話機４における事後通知受信処理に対応する、図２の放送用コンテンツサーバ２における事後通知受信処理について説明する。この事後通知受信処理は、携帯電話機４から送信されてきた地上波ディジタルワンセグ放送波による有料番組の視聴処理または録画処理を開始するとの通知を受信することで、開始される。
【０１５１】
ステップＳ６１において、ＣＰＵ２１は、通信部２９により、ネットワーク８を介して携帯電話機４から送信されてきた地上波ディジタルワンセグ放送波の有料番組の視聴処理または録画処理を開始するとの通知を受信したか否かを判定し、地上波ディジタルワンセグ放送波の有料番組の視聴処理または録画処理を開始するとの通知を受信したと判定するまで待機する。
【０１５２】
ステップＳ６１において携帯電話機４から送信されてきた地上波ディジタルワンセグ放送波の有料番組の視聴処理または録画処理を開始するとの通知を受信したと判定された場合、通信部２９はステップＳ６２で、ネットワーク８を介して携帯電話機４から送信されてきた事後通知（携帯電話機４において受信された地上波ディジタルワンセグ放送波の品質（劣化したか良好であるか）を事後的に通知するための事後通知）を受信し、受信された事後通知（携帯電話機４において受信された地上波ディジタルワンセグ放送波の品質（劣化したか良好であるか）を事後的に通知するための事後通知）をバス２４を介してＣＰＵ２１に供給する。
【０１５３】
従って、図６、図９、および図１２のフローチャートを参照して説明したように、携帯電話機４が圏外である場合には放送用コンテンツサーバ２には品質劣化定期通知または品質良好定期通知は送信されないことから、携帯電話機４が放送エリア（例えば放送エリアＡやＢなど）においても圏外であるとして、すなわち、携帯電話機４において地上波ディジタルワンセグ放送波が受信できなかったとして、利用料金を減額して課金額とするようにしていたが、携帯電話機４において受信された地上波ディジタルワンセグ放送波の品質（劣化したか良好であるか）を事後的に通知することで、より正確な受信品質情報を放送用コンテンツサーバにおいて受信することができる。
【０１５４】
ＣＰＵ２１は、通信部２９から供給された事後通知（携帯電話機４において受信された地上波ディジタルワンセグ放送波の品質（劣化したか良好であるか）を事後的に通知するための事後通知）を取得する。
【０１５５】
ステップＳ６３において、ＣＰＵ２１は、記憶部２８に予め記憶されている受信品質情報を管理するための受信品質管理履歴を読み出す。例えば図１０に示される受信品質管理履歴が読み出される。
【０１５６】
ステップＳ６４において、ＣＰＵ２１は、取得された事後通知に基づいて、記憶部２８に予め記憶されている受信品質管理履歴を更新する。例えば図１０に示される受信品質管理履歴は、図１１に示されるように更新される。
【０１５７】
ステップＳ６５において、ＣＰＵ２１は、通信部２９により、ネットワーク８を介して携帯電話機４から送信されてきた地上波ディジタルワンセグ放送波による有料番組の視聴処理または録画処理を終了するとの通知を受信したか否かを判定し、携帯電話機４から送信されてきた地上波ディジタルワンセグ放送波による有料番組の視聴処理または録画処理を終了するとの通知を受信したと判定するまで待機する。
【０１５８】
ステップＳ６５において携帯電話機４から送信されてきた地上波ディジタルワンセグ放送波による有料番組の視聴処理または録画処理を終了するとの通知を受信したと判定された場合、事後通知受信処理は終了する。
【０１５９】
その後、放送用コンテンツサーバ２においては、適宜、図１２のフローチャートを参照して説明した課金処理が実行される。
【０１６０】
本発明の実施形態においては、携帯電話機４は、地上波ディジタルワンセグ放送波による有料番組の視聴処理または録画処理を開始して後、予め設定された所定の時間ごとに、受信された地上波ディジタルワンセグ放送波の品質に関する受信品質情報を生成し、生成された受信品質情報を受信品質履歴に登録するとともに、地上波ディジタルワンセグ放送波による有料番組の視聴処理または録画処理の終了後に、受信品質歴に登録されている受信品質情報に基づいて、事後通知を生成し、生成された事後通知を放送用コンテンツサーバ２に送信することができる。
【０１６１】
一方、放送用コンテンツサーバ２は、地上波ディジタルワンセグ放送波による有料番組の視聴処理または録画処理を開始して後、携帯電話機４から送信されてきた事後通知を受信し、受信された事後通知に基づいて受信品質管理履歴を更新することができる。また、更新された受信品質管理履歴を参照して、携帯電話機４において地上波ディジタルワンセグ放送波による有料番組を利用する場合における課金処理を実行することができる。
【０１６２】
これにより、持ち運び可能な特性を有する携帯電話機４において地上波ディジタルワンセグ放送波を一時的に受信することができない場合が発生したとしても、携帯電話機４での地上波ディジタルワンセグ放送波の受信時間や受信品質レベルに応じてより好適な課金処理を行うことができる。従って、携帯電話機４において地上波ディジタルワンセグ放送波を利用する場合における利便性をより向上させることができる。
【０１６３】
ところで、携帯電話機４において地上波ディジタルワンセグ放送波による有料番組の視聴処理または録画処理を繰り返して実行する際に、逐一、予め設定された所定の時間（例えば１０分など）ごとに受信品質情報を生成し、生成された受信品質情報を受信品質履歴に登録した後、必要に応じて、受信品質履歴に登録されている受信品質情報を読み出し、読み出された受信品質情報に基づいて一括通知を生成し、放送用コンテンツサーバ２に送信するようにしてもよい。この方法を用いた図５の携帯電話機４における一括通知送信処理について説明する。
【０１６４】
図１５のフローチャートを参照して、図５の携帯電話機４における一括通知送信処理について説明する。この一括通知送信処理は、放送用コンテンツサーバ２から送信されてきた一括通知の送信を要求するための一括通知送信要求を受信したときに開始される。
【０１６５】
ステップＳ７１において、主制御部６１は、変復調回路部６９、送受信回路部７３、およびアンテナ７４により、ネットワーク８を介して放送用コンテンツサーバ２から送信されてきた一括通知の送信を要求するための一括通知送信要求を受信したか否かを判定し、放送用コンテンツサーバ２から送信されてきた一括通知の送信を要求するための一括通知送信要求を受信したと判定するまで待機する。
【０１６６】
ステップＳ７１において放送用コンテンツサーバ２から送信されてきた一括通知の送信を要求するための一括通知送信要求を受信したと判定された場合、主制御部６１はステップＳ７２で、受信された一括通知送信要求に指定日（すなわち、一括通知を送信する指定日）が含まれているか否かを判定する。
【０１６７】
ステップＳ７２において受信された一括通知送信要求に指定日（すなわち、一括通知を送信する指定日）が含まれていると判定された場合、主制御部６１はステップＳ７３で、記憶部７７に記憶されている受信品質履歴に登録されている受信品質情報のうち、一括通知送信要求に含まれている指定日に対応する受信品質情報を読み出す。
【０１６８】
例えば図８の受信品質履歴の場合、指定日が２００６／０７／２０であるとき、指定日（２００６／０７／２０）に対応する受信品質情報（図８の受信品質履歴の第２行目に記載されている受信品質情報）が読み出される。
【０１６９】
一方、ステップＳ７２において受信された一括通知送信要求に指定日（すなわち、一括通知を送信する指定日）が含まれていないと判定された場合、主制御部６１はステップＳ７４で、記憶部７７に記憶されている受信品質履歴に登録されているすべての受信品質情報を読み出す。
【０１７０】
ステップＳ７５において、主制御部６１は、読み出された指定日に対応する受信品質情報に基づいて、携帯電話機４において受信された地上波ディジタルワンセグ放送波の品質（劣化したか良好であるか）を一括に通知するための一括通知を生成する。
【０１７１】
ステップＳ７６において、主制御部６１は、生成された一括通知を放送用コンテンツサーバ２にネットワーク８を介して送信する。
【０１７２】
具体的には、主制御部６１は、変復調回路部６９および送受信回路部７３を制御し、生成された一括通知を変復調回路部６９、送受信回路部７３、アンテナ７４、およびネットワーク８を介して放送用コンテンツサーバ２に送信させる。
【０１７３】
変復調回路部６９および送受信回路部７３は、主制御部６１の制御に従い、生成された一括通知を変復調回路部６９、送受信回路部７３、アンテナ７４、およびネットワーク８を介して放送用コンテンツサーバ２に送信する。
【０１７４】
その後、放送用コンテンツサーバ２において、携帯電話機４から送信されてきた一括通知が受信され、受信された一括通知に基づいて受信品質管理履歴を更新するとともに、更新された受信品質管理履歴を参照して課金処理が実行される。
【０１７５】
これにより、放送用コンテンツサーバ２の状況に応じて課金処理を実行することができ、携帯電話機４において地上波ディジタルワンセグ放送波による有料番組を利用する場合における課金処理をより簡単に実行することができる。
【０１７６】
ここで、携帯電話機４における定期通知、事後通知、または一括通知の通知方法設定処理について説明する。
【０１７７】
図１６のフローチャートを参照して、図５の携帯電話機４における通知方法設定処理について説明する。この通知方法設定処理は、ユーザにより操作キー４４が操作されることにより通知方法設定処理を開始するとの指示がなされることで、開始される。
【０１７８】
ステップＳ８１において、主制御部６１は、ユーザにより操作キー４４が操作されることにより通知方法設定処理を開始するとの指示がなされたか否かを判定し、ユーザにより操作キー４４が操作されることにより通知方法設定処理を開始するとの指示がなされたと判定するまで待機する。
【０１７９】
ステップＳ８１においてユーザにより操作キー４４が操作されることにより通知方法設定処理を開始するとの指示がなされたと判定された場合、主制御部６１はステップＳ８２で、ユーザにより操作キー４４が操作されることにより定期通知に設定するとの指示が受け付けられたか否かを判定する。この際、例えば図示せぬ通知方法設定画面が液晶ディスプレイ４７に表示される。
【０１８０】
ステップＳ８２においてユーザにより操作キー４４が操作されることにより定期通知に設定するとの指示が受け付けられたと判定された場合、主制御部６１はステップＳ８３で、通知方法を定期通知に設定し、設定された通知方法としての定期通知に関するデータである通知方法設定データを記憶部７７に供給する。
【０１８１】
ステップＳ８４において、記憶部７７は、主制御部６１から供給された通知方法設定データを取得し、主制御部６１の制御に従い、取得された通知方法設定データを記憶する。
【０１８２】
これにより、通知方法として定期通知に設定されたことが記憶される。
【０１８３】
ステップＳ８２においてユーザにより操作キー４４が操作されることにより定期通知に設定するとの指示が受け付けられていないと判定された場合、主制御部６１はステップＳ８５で、ユーザにより操作キー４４が操作されることにより事後通知に設定するとの指示が受け付けられたか否かを判定する。
【０１８４】
ステップＳ８５においてユーザにより操作キー４４が操作されることにより事後通知に設定するとの指示が受け付けられたと判定された場合、主制御部６１はステップＳ８６で、通知方法を事後通知に設定し、設定された通知方法としての事後通知に関するデータである通知方法設定データを記憶部７７に供給する。
【０１８５】
その後、ステップＳ８４において通知方法設定データの記憶処理が実行される。
【０１８６】
これにより、通知方法として事後通知に設定されたことが記憶される。
【０１８７】
ステップＳ８５においてユーザにより操作キー４４が操作されることにより事後通知に設定するとの指示が受け付けられていないと判定された場合、主制御部６１はステップＳ８７で、ユーザにより操作キー４４が操作されることにより一括通知に設定するとの指示が受け付けられたか否かを判定する。
【０１８８】
ステップＳ８７においてユーザにより操作キー４４が操作されることにより一括通知に設定するとの指示が受け付けられたと判定された場合、主制御部６１はステップＳ８８で、通知方法を一括通知に設定し、設定された通知方法としての一括通知に関するデータである通知方法設定データを記憶部７７に供給する。
【０１８９】
その後、ステップＳ８４において通知方法設定データの記憶処理が実行される。
【０１９０】
ステップＳ８７においてユーザにより操作キー４４が操作されることにより一括通知に設定するとの指示が受け付けられていないと判定された場合、主制御部６１はステップＳ８９で、ユーザにより操作キー４４が操作されることにより通知禁止に設定するとの指示が受け付けられたか否かを判定する。
【０１９１】
ステップＳ８９においてユーザにより操作キー４４が操作されることにより通知禁止に設定するとの指示が受け付けられたと判定された場合、主制御部６１はステップＳ９０で、通知方法を通知禁止に設定し、設定された通知方法としての通知禁止に関するデータである通知方法設定データを記憶部７７に供給する。
【０１９２】
その後、ステップＳ８４において通知方法設定データの記憶処理が実行される。
【０１９３】
これにより、通知方法として通知を禁止する通知禁止に設定されたことが記憶される。
【０１９４】
なお、通知禁止に設定されると、携帯電話機４から受信品質情報は放送用コンテンツサーバ２に送信されない。
【０１９５】
ステップＳ８９においてユーザにより操作キー４４が操作されることにより通知禁止に設定するとの指示が受け付けられたと判定された場合、主制御部６１はステップＳ９１で、エラー処理を実行する。その後、通知方法設定処理は終了する。
【０１９６】
なお、放送用コンテンツサーバ２から通知方法の変更要求を受信した場合、携帯電話機４は、受信された通知方法の変更要求に基づいて通知方法を変更するようにしてもよい。
【０１９７】
ところで、携帯電話機４において記憶部７７に記憶されている受信品質履歴を必要に応じて表示するようにしてもよい。以下、この方法を用いた図５の携帯電話機４における受信品質履歴表示処理について説明する。
【０１９８】
図１７のフローチャートを参照して、図５の携帯電話機４における受信品質履歴表示処理について説明する。この受信品質履歴表示処理は、ユーザにより操作キー４４が操作されることにより受信品質履歴表示処理を開始するとの指示がんされることで、開始される。
【０１９９】
ステップＳ１０１において、主制御部６１は、ユーザにより操作キー４４が操作されることにより受信品質履歴表示処理を開始するとの指示がなされたか否かを判定し、ユーザにより操作キー４４が操作されることにより受信品質履歴表示処理を開始するとの指示がなされたと判定するまで待機する。
【０２００】
ステップＳ１０１においてユーザにより操作キー４４が操作されることにより受信品質履歴表示処理を開始するとの指示がなされたと判定された場合、主制御部６１はステップＳ１０２で、記憶部７７に予め記憶されている受信品質履歴に受信品質情報が登録されているか否かを判定する。
【０２０１】
ステップＳ１０２において記憶部７７に予め記憶されている受信品質履歴に受信品質情報が登録されていると判定された場合、主制御部６１はステップＳ１０３で、ＬＣＤ制御部６６を制御し、受信品質履歴に登録されている受信品質情報を液晶ディスプレイ４７に表示させる。液晶ディスプレイ４７は、ＬＣＤ制御部６６の制御に従い、図１８[Ａ]に示されるように受信品質履歴に登録されている受信品質情報を表示する。
【０２０２】
これにより、ユーザは、現在までの受信品質情報を知ることができる。
【０２０３】
ステップＳ１０２において記憶部７７に予め記憶されている受信品質履歴に受信品質情報が登録されていないと判定された場合、主制御部６１はステップＳ１０４で、ＬＣＤ制御部６６を制御し、受信品質履歴に受信品質情報が登録されていない旨を液晶ディスプレイ４７に表示させる。液晶ディスプレイ４７は、ＬＣＤ制御部６６の制御に従い、図１８[Ｂ]に示されるように受信品質履歴に受信品質情報が登録されていない旨を表示する。
【０２０４】
ステップＳ１０５において、主制御部６１は、ユーザにより操作キー４４が操作されることにより受信品質履歴表示処理を終了するとの指示がなされたか否かを判定し、ユーザにより操作キー４４が操作されることにより受信品質履歴表示処理を終了するとの指示がなされたと判定するまで待機する。
【０２０５】
ステップＳ１０５においてーザにより操作キー４４が操作されることにより受信品質履歴表示処理を終了するとの指示がなされたと判定された場合、受信品質履歴表示処理を終了する。
【０２０６】
なお、本発明の実施形態においては、基地局５とネットワーク８などを介して放送用コンテンツサーバ２に定期通知、事後通知、または一括通知を携帯電話機４から送信するようにしたが、このような場合に限られず、携帯電話機４に内蔵された無線ＬＡＮモジュール７９を介して無線ＬＡＮ通信により放送用コンテンツサーバ２に送信するようにしてもよい。
【０２０７】
なお、本発明の実施形態においては、本発明を、携帯電話機４において地上波ディジタルワンセグ放送波を視聴または録画する際に適用するようにしたが、このような場合に限られず、携帯電話機４において例えば地上波ディジタル放送波を視聴または録画する際や地上波ディジタル３セグメントラジオ放送波を録音する際など他の方式の記録の際に適用することができる。
【０２０８】
また、本発明の実施形態においては、携帯電話機４での地上波ディジタルワンセグ放送波の受信時間や受信品質レベルに応じて課金処理を行うようにしているが、この際に、例えば特定のチャンネルの特定の時間の番組単位で課金処理を実行するようにしてもよい。
【０２０９】
なお、本発明は、携帯電話機４以外にも、ＰＤＡ（Personal Digital Assistant）、パーソナルコンピュータ、その他の情報処理装置にも適用することができる。
【０２１０】
また、本発明の実施形態において説明した一連の処理は、ソフトウェアにより実行させることもできるが、ハードウェアにより実行させることもできる。
【０２１１】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０２１２】
【図１】本発明に係るネットワークシステムの全体の構成を示すネットワーク図。
【図２】本発明に係る情報管理装置に適用可能な放送用コンテンツサーバの内部の構成を示すブロック図。
【図３】本発明に係る情報処理装置に適用可能な携帯電話機の外観の構成を示す外観図。
【図４】本発明に係る情報処理装置に適用可能な携帯電話機の他の外観の構成を示す外観図。
【図５】本発明に係る情報処理装置に適用可能な携帯電話機の内部の構成を示すブロック図。
【図６】図５の携帯電話機における定期通知送信処理を説明するフローチャート。
【図７】図６のステップＳ５の生成処理により生成された受信品質情報のデータ構成例を示す図。
【図８】図５の記憶部に予め記憶されている受信品質履歴の構成例を示す図。
【図９】図２の放送用コンテンツサーバにおける定期通知受信処理を説明するフローチャート。
【図１０】図２の記憶部に記憶されている受信品質管理履歴の構成例を示す図。
【図１１】図２の記憶部に記憶されている受信品質管理履歴の他の構成例を示す図。
【図１２】図２の放送用コンテンツサーバにおける課金処理を説明するフローチャート。
【図１３】図５の携帯電話機における事後通知送信処理を説明するフローチャート。
【図１４】図２の放送用コンテンツサーバにおける事後通知受信処理を説明するフローチャート。
【図１５】図５の携帯電話機における一括通知送信処理を説明するフローチャート。
【図１６】図５の携帯電話機における通知方法設定処理を説明するフローチャート。
【図１７】図５の携帯電話機における受信品質履歴表示処理を説明するフローチャート。
【図１８】図５の液晶ディスプレイに表示される表示例を示す図。
【符号の説明】
【０２１３】
１…ネットワークシステム、２…放送用コンテンツサーバ、３（３−１および３−２）…放送局、４…携帯電話機、５（５−１および５−２）…基地局、６…公衆回線網、７…アクセスサーバ、８…ネットワーク、９（９−１および９−２）…無線ＬＡＮ、１０（１０−１および１０−２）…アクセスポイント、２１…ＣＰＵ、２２…ＲＯＭ，２３…ＲＡＭ、２４…バス、２５…入出力インタフェース、２６…入力部、２７…出力部、２８…記憶部、２９…通信部、３０…ドライブ、３１…磁気ディスク、３２…光ディスク、３３…光磁気ディスク、３４…半導体メモリ、４１…ヒンジ、４２…第１の筐体、４３…第２の筐体、４４…操作キー、４５…マイクロフォン、４６…サイドキー、４７…液晶ディスプレイ、４８…スピーカ、４９a乃至４９d…磁気センサ、５０（５０−１および５０−２）…ＬＥＤ、５１…ＣＣＤカメラ、５２…サブディスプレイ、５３…静電タッチパッド、
６１…主制御部、６２…電源回路部、６３…操作入力制御部、６４…画像エンコーダ、６５…カメラI/F部、６６…ＬＣＤ制御部、６７…画像デコーダ、６８…多重分離部、６９…変復調回路部、７０…音声コーデック、７１…メインバス、７２…同期バス、７３…送受信回路部、７４…アンテナ、７５…記録再生部、７６…メモリカード、７７…記憶部、７８…音楽制御部、７９…無線ＬＡＮモジュール、８０…地上波ディジタルワンセグ受信部。
【図１】
2008124729.tif 000003
【図２】
2008124729.tif 000004
【図３】
2008124729.tif 000005
【図４】
2008124729.tif 000006
【図５】
2008124729.tif 000007
【図６】
2008124729.tif 000008
【図７】
2008124729.tif 000009
【図８】
2008124729.tif 000010
【図９】
2008124729.tif 000011
【図１０】
2008124729.tif 000012
【図１１】
2008124729.tif 000013
【図１２】
2008124729.tif 000014
【図１３】
2008124729.tif 000015
【図１４】
2008124729.tif 000016
【図１５】
2008124729.tif 000017
【図１６】
2008124729.tif 000018
【図１７】
2008124729.tif 000019
【図１８】
2008124729.tif 000020